(57)【特許請求の範囲】
【請求項１】
穀物等の粒体を収容する平面略矩形状を呈する粒体収容部と、この粒体収容部の底部に形成され収容粒体を排出する粒体排出部とを有する粒体搬送容器において、前記粒体排出部は粒体を粒体排出部の一端側に送る送り機構と、この粒体排出部の一端側に設けられ前記送り機構により送られる粒体を粒体収容部の外部に排出する排出口部と、前記送り機構に粒体が供給される供給量を調整する開閉シャッター部とで構成され、該開閉シャッター部に臨む粒体収容部の底板は、粒体収容部を構成する枠体に対し揺動可能に設けられているとともに粒体排出部の送り機構に近い側が低い傾斜面を有し、前記送り機構が駆動されているときのみ前記底板が揺動手段により揺動可能で且つ前記送り機構が駆動されているとき揺動を停止可能であり、開閉シャッター部の開閉シャッターが開放されている時のみ底板の揺動が可能であることを特徴とした粒体搬送容器。
【請求項２】
粒体収納部に収納された粒体の量が一定量以下になると底板の揺動が行われることを特徴とした請求項1記載の粒体搬送容器。
【発明の詳細な説明】
【技術分野】
【０００１】
本発明は、圃場で収穫した穀類等の粒体を乾燥機などの他の処理手段まで搬送する粒体搬送容器に関するもので、搬送後、容器内の穀類等の粒体を排出する排出機能を有した粒体搬送容器に関するものである。
【背景技術】
【０００２】
この種の穀類等の粒体を搬送する粒体搬送容器の従来技術として、特開昭６３−１９１７８６号公報(従来技術１)の「籾コンテナ」が公開されている。また、実開平２−２０４３６号公報（従来技術２）の「グレンバスケット」が公開されている。これらは、いずれも容器底部分のスクリュー搬送体に粒体を自然流動させるために容器内に設けた傾斜部のスペースをシート部材や復元部材により構成した容器を膨らませスペースを利用するとともに排出時に復元力により粒体をスクリュー搬送体に流動させるように構成したものである。さらに、特開平１１−１８９２９０号公報（従来技術３）の「粒体搬送容器」には、容器底の傾斜部を排出時に排出方向に持ち上げ排出する構成が公開されている。
【特許文献１】特開昭６３−１９１７８６号公報（従来技術１）
【特許文献２】実開平２−２０４３６号公報（従来技術２）
【特許文献３】特開平１１−１８９２９０号公報（従来技術３）
【発明の開示】
【発明が解決しようとする課題】
【０００３】
従来の穀物などの粒体搬送容器は、収容された粒体を排出するための粒体排出部を容器底部に設け、収容された粒体が粒体排出部に自然流動するように底部に傾斜部を設けていた。このため、トラック荷台スペース内で容器の所定の容量を確保するためには、この傾斜部により発生する容器外側のスペース分を容器高さを高くすることで確保することになる。
【０００４】
粒体搬送容器は、通常トラックやトレーラーに積み込まれ搬送されるが、このとき粒体搬送容器の高さが高いと重心も高くなり、不整地などの搬送途中における転倒事故の危険を伴うことになる。このためできるかぎり重心の低い粒体搬送容器が望まれていた。また、乾燥機などの置かれている建物の入口の高さによっては乾燥機まで搬送できない問題が発生するため高さの低い粒体搬送容器が望まれていた。
【０００５】
従来技術１の「籾コンテナ」は、所定範囲に亘る上下動が自在な外郭体を形成し、外郭体の下端縁に断面Ｖ字状に窄まり、下端に切り口を形成したシート部材を接続し、シート部材の切り口を中央下底部に設けたスクリューコンベアに通じさせて構成されていて、容器内に収容された粒体の重量で外郭体が下降するとともに可撓性シート部材の変形により重心を下げようとしたものであるが、収容粒体の種類や水分の差異による外郭体の上昇付勢力の精度の良い調整が必要で、付勢力が強いと下降量が少なく、弱いと排出時シートが持ち上がらず排出ができないという不都合が発生する。また、繰り返し大きく変形される可撓性シートの耐久性が懸念されるとともに、大型の容器には強度上不向きである。
【０００６】
従来技術２の「グレンバスケット」は、籾を収容することで２枚の復元部材が外側に膨らみ容量を確保し、排出する時に順次２枚の復元部材をＶ字状に復元するものであるが、復元部材の長期にわたる耐久性に困難が認められ、復元力が低下すると排出ができなく残量が多くなる。また大型の容器には強度上不向きである。
【０００７】
従来技術３の「粒体搬送容器」は、排出時に傾斜されている可動底板を排出側に回動させ落下流出させるものであるが、傾斜された板で形成された容器外側スペースが大きく重心の改善が期待できない。また、可動底板に張られた可撓性材が繰り返し伸縮されるため耐久性が懸念される。また、可動底板の回動用リフト機構の操作が手動で行う必要があり排出時常に作業者が付いている必要がある。
【０００８】
このため本発明の目的は、収容量を所定量確保でき、粒体を収容時の重心が低重心で、排出時の操作が容易であるとともに、耐久性があり大きい容量でも対応可能である粒体搬送容器を提供することを目的とする。
【課題を解決するための手段】
【０００９】
上記課題を解決するために、穀物等の粒体を収容する平面略矩形状を呈する粒体収容部と、この粒体収容部の底部に形成され収容粒体を排出する粒体排出部とを有する粒体搬送容器において、前記粒体排出部は粒体を粒体排出部の一端側に送る送り機構と、この粒体排出部の一端側に設けられ前記送り機構により送られる粒体を粒体収容部の外部に排出する排出口部と、前記送り機構に粒体が供給される供給量を調整する開閉シャッター部とで構成され、該開閉シャッター部に臨む粒体収容部の底板は、粒体収容部を構成する枠体に対し揺動可能に設けられているとともに粒体排出部の送り機構に近い側が低い傾斜面を有し、前記送り機構が駆動されているときのみ前記底板が揺動手段により揺動可能で且つ前記送り機構が駆動されているとき揺動を停止可能であり、開閉シャッター部の開閉シャッターが開放されている時のみ底板の揺動が可能であることを特徴とした粒体搬送容器を提案する。
【００１０】
又、粒体収納部に収納された粒体の量が一定量以下になると底板の揺動が行われることを特徴とした０００９欄記載の粒体搬送容器を提案する。
【発明の効果】
【００１２】
請求項１に記載の発明によれば、送り機構に粒体が供給される供給量を調整する開閉シャッター部に臨む粒体収容部の底部の底板は、粒体収容部を構成する枠体に対し揺動可能に設けられているとともに粒体排出部に近い側が低い傾斜面を有しているため、底板が揺動することで収容された底板部の粒体は低い側の粒体排出部側へ自重移動し粒体排出部により排出される。このため、底板は自然流動させるための大きい角度を必要とせず、水平より僅かの角度を有するだけでよく、従来の自然流動させるために底板を傾斜させていたスペースを粒体収容スペースとして利用できるため、粒体収容部の高さ寸法を低く抑えることができるとともに、粒体収容時の重心を下げることができるためトラックに積載時の走行時の安定性が改善される。
【００１３】
また、送り機構が作動していないときに底板を揺動させると、送り機構側に粒体が圧縮され粒体の損傷が発生する問題や開閉シャッター部に過度の負荷が作用し変形するなどの不都合が発生する場合や、底板との過度の摩擦や圧縮により粒体の損傷が発生する問題がある。本発明では送り機構が駆動されているときのみ底板が揺動可能であるため、このような問題を回避できる。さらに、底板の揺動手段の駆動を粒体排出部の送り機構の動力と連動させる等により、排出作業時に作業者が特別な作業を必要とする機構が無いため操作性が良い粒体搬送容器となる。さらにまた、粒体収容部を可撓性シート等の耐久性の懸念される部材を使用することなく構成できるため耐久性が良い粒体搬送容器を提供できる。
【００１４】
また、送り機構が駆動されているとき揺動を停止可能であるため、粒体収容部内の粒体が送り機構側に自然流動可能の状態の場合は、無駄に底板を揺動させないで動力の消費を防止できるとともに、底板との過度の摩擦や圧縮により粒体の損傷や開閉シャッター部への無駄な負荷の発生を防止するため耐久性も良い。
【００１５】
請求項２の発明によれば、開閉シャッター部の開閉シャッターが開放されている時のみ底板の揺動が可能である構成のため、開閉シャッターが閉じられている場合に揺動することがないため開閉シャッター側に粒体が圧縮され無理な負荷が作用しないとともに無駄な動力の消費が避けられる。
【００１６】
請求項３の発明によれば、粒体収納部に収納された粒体の量が一定量以下になると底板の揺動が行われる構成のため、粒体収容部内の粒体が送り機構側に自然流動可能の状態の場合は、無駄に底板を揺動させないで動力の消費を防止できるとともに、底板との過度の摩擦や圧縮により粒体の損傷や開閉シャッター部への無駄な負荷の発生を防止できる。
【発明を実施するための最良の形態】
【００１７】
以下、本発明の実施例を図面に基づいて説明する。図１は本発明の底板が弾性部材で保持され揺動可能である粒体搬送容器の正面視の断面図、図２は開閉シャッター部の要部断面図、図３は底板がガイド部材に案内されて揺動する構成の本発明の粒体搬送容器の正面視断面図、図４は本発明の別実施例の粒体搬送容器の正面視断面図、図５は駆動部の一例を示した断面平面図、図６は別実施例の駆動部の一例を示した断面平面図、図７は粒体排出部および排出ホース部の横断面図、図８は粒体搬送容器の使用状態を示した側面図、図９は従来の粒体搬送容器の正面視の断面図を示したものである。
【００１８】
図９において従来の穀類などの粒体搬送容器の説明をする。トラックなどの運搬車の荷台に搭載されて使用されるため平面略矩形を呈し、粒体搬送容器１の底板長手軸線方向に谷部が形成されていて、この谷部底には収容された粒体を排出する粒体排出部２を有し、粒体排出部２には谷部略全長に亘り螺旋状に構成され粒体を移送する底スクリュ軸２０１が設けられ、移送方向終端側に排出口部４が設けられていて収容された粒体を容器外に排出する。底スクリュ軸２０１部には底スクリュ軸２０１部への粒体の流入量を調整する開閉シャッター３０が設けてあり、開閉シャッター３０を上下動させることで底板１３ａとの間隔を調整し流量を調整する。底の谷部斜面（底板１３ａ）は、収容された粒体が自然流動により送り機構２０である底スクリュ軸２０１部に流れ込むための傾斜角が必要で、容器の下方外側に大きな空間部が形成されている。このため、所定の容器の容量を確保しようとすると空間部の容量が無駄になりトラックの荷台寸法が決まっているため容器の高さを高くすることになる。また、粒体を収容すると全体の重心が上方になり、トラックなどの運搬車に積載し移動する場合に転倒事故等の危険がある。
【００１９】
本発明の粒体搬送容器１は、底板１３外側空間部を最小限にするべく構成したもので、図１及び図２において一つの実施例を説明すると、平面略矩形の粒体収容部は、下方の枠体１１と上方の上部枠体１２とで構成され、内部が粒体を収容する粒体収容部１０となっている。上部枠体１２は前後左右それぞれに四分割されていて、下方の枠体１１との連結部で回動可能に設けられ、上部四隅部に設けたロックレバー１２１を解除することで未使用時に容器内側にそれぞれ枠体回動ピン１３５を回動支点として折畳みできるように構成されている。
【００２０】
粒体搬送容器１には、粒体排出部２が設けてあり、送り機構２０と開閉シャッター部３及び排出口部４とから構成されている。粒体搬送容器１の底部には、収容された粒体を排出口部４へ搬送する送り機構２０が底板１３長手方向に亘って設けられている。送り機構２０は、枠体１１最深部に枠体１１長手方向略全長に亘り逆台形凹状の樋を設け、この樋部内に回転軸外周に螺旋状羽根を有して構成され粒体を移送する底スクリュ軸２０１が設けられ、粒体移送始端側の底スクリュ軸２０１端部に固着された底スクリュプーリ２０２にモータ２１よりＶベルトで動力が伝達されて回転し粒体を移送するように構成されている。
【００２１】
開閉シャッター部３は、粒体排出部２に流入する粒体量を調節するためのもので、送り機構２０の底スクリュ軸２０１上方部に枠体１１長手方向全長に亘り逆Ｕ字状の底スクリュカバー２２が設けられていて、その下方部である底スクリュ軸２０１左右両側は、底スクリュ軸２０１に流入する粒体の流入量を調節する開閉シャッター３０が枠体１１長手方向略全長に亘り底スクリュカバー２２に沿って設けてある。開閉シャッター３０は、枠体１１前後壁に垂直方向に且つ枠体１１内側に立設させ底スクリュ軸２０１左右側に設けたシャッターガイド３３に案内され上下動自在であり、逆台形凹状の樋と開閉シャッター３０下方の隙間を開閉調整して流量を調節する。
【００２２】
流量調節は、粒体搬送容器１外側に操作可能に設けた操作レバー３１をレバーガイド３２の目盛りを目安に回動させることで可能に構成されている。枠体１１前後に水平軸架されたレバー軸３４の一端に操作レバー３１が固着されていて、レバー軸３４の容器内側前後２箇所に軸外方に突設させたレバー軸アーム３４１が外端に水平方向のリンクピン３６を設け、開閉シャッター３０の左右中央部上方の前後２箇所に設けた水平方向シャッター作動ピン３０１とを板状のリンクプレート３５の両端をそれぞれ回動自在に連結してあり、操作レバー３１を下方に回動するとレバー軸アーム３４１が上方に回動し、回動角に比例し連結されたリンクプレート３５が上方に開閉シャッター３０を吊り上げ開閉シャッター３０が開かれる。
【００２３】
操作レバー３１の開閉シャッター３０が閉じられた状態の位置には、スイッチ７０が設けてあり、開閉シャッター３０が閉じられている状態ではスイッチ７０が操作レバー３１により押され、開閉シャッター３０が開かれると操作レバー３１が下方に回動してスイッチ７０から離れた状態となる。これにより開閉シャッター３０の開閉状態を感知して底板１３の揺動のための動力の入り切り制御が可能であり、開閉シャッター３０が開放されている時のみ底板１３の揺動が可能とする構成とすることができる。逆台形凹状の樋部の一部は下方に回動可能に設けた底開閉カバー２０３となっていて、開放することで容器内部の残留粒体の除去や掃除が可能である。
【００２４】
逆台形凹状の樋部の一端から樋部から遠くなるほど高くなる緩い左右方向の傾斜を有した底板１３が枠体１１底部に設けてあり、底板１３は枠体１１に対し複数箇所設けた弾性部材１３２を介して枠体１１に取り付けられ枠体１１に対し揺動可能に設けてある。底板１３の送り機構２０側の端面には、揺動時の粒体の漏れ防止のためのシール材としてポリシート材などの可撓性板材の一端を枠体１１に固定し他端を底板１３側に湾曲当接させシールさせているシール部材１３６を設けている。また底板１３の他の枠体側の三方端面には枠体１１側から垂れ下げた帆布やポリシート材などの可撓性材で底板と枠体の隙間の漏れを防止しているシート材１３７を設けている。
【００２５】
底板１３外側下方には、揺動手段５が設けられていて、底板１３と連結されてモータ２１の駆動により底板１３を揺動させる。揺動手段５は前後方向水平に設けた回転軸である揺動軸５２に、回転中心を偏心させて回動可能に連結した揺動ロッド５４が設けられ、揺動ロッド５４他端は前記揺動軸５２と平行に設けた連結ピン５５により底板１３と回動自在に連結されていて、揺動軸５２がモータ２１により回転すると揺動ロッド５４が連結部の偏心により揺動運動となり、他端に連結され枠体に弾性部材１３２を介して揺動可能に設けられた底板１３を揺動させる。底板１３を揺動することで送り機構２０側に傾斜した底板１３上の粒体は、自然流動できない傾斜角度であっても送り機構２０側に流動し排出される。弾性部材１３２により支えられた底板１３は不特定方向に不規則に揺動するため粒体の移動をより活発にさせる。本例の弾性部材１３２はゴム部材を使用したがコイルバネや板バネ等の弾性体であってもよい。
【００２６】
底板１３上面には、丸棒を立設させた撹拌部材１３１が枠体上方を向け複数設けてあり、底板１３の揺動により底板１３に接近した粒体のみならずその上方の広い範囲の粒体を撹拌部材１３１が動かすため貯留粒体の停滞を防止し排出をより効率よく行うためのものである。撹拌部材１３１は丸棒のみに限らず平板等でもよく、底板１３の上方に突設させた撹拌可能部材であれば良い。
【００２７】
図３は、枠体１１に対し底板１３をガイドローラ１３３により案内し揺動させる構成を示したもので、底板１３の外側下方に前後方向の水平軸に回転自在に設けたガイドローラ１３３を複数設け、これを案内するガイド部材１３４を枠体１１側に設け、底板１３を底板下方に設けた揺動手段５によりガイド部材１３４にガイドさせ揺動させるものである。本例においてはガイド部材１３４を底板１３と平行に設けてあるが、ガイド部材１３４を非平行に設けることや変形させることで底板１３の粒体に対する作用力の方向を変更できるため、より効率よく流動性を確保できる底板１３の揺動運動を設定可能にする
【００２８】
図４は本発明の底板１３部の別実施例を示したもので、底スクリュ軸２０１を有する送り機構２０部を枠体１１中央部に設け、これに臨む底板１３を左右両側に上向き傾斜させ設けた構成のものである。枠体１１に弾性部材１３２によりそれぞれ保持された左右の底板１３外側下方には、それぞれ揺動手段５が設けてあり、モータ２１の駆動により揺動手段５を駆動させることにより、これと連結された左右の底板１３が揺動される。揺動することにより、底板１３が自然流動できない傾斜角度であっても送り機構２０側に左右から粒体が強制流動され排出される。本例の底板１３は、枠体１１に対し弾性部材１３２で支えられ揺動可能であるが、枠体１１および又は底板１３に設けたガイド部材に案内され底板１３が揺動可能に設けてもよい。
【００２９】
図５・図６・図７により粒体搬送容器１の駆動部の説明を行う。モータ２１の出力軸に固着されたモータプーリ２１０に巻着されたＶベルト２３ａにより伝達された動力は、底板１３下方外側に設けた揺動手段５に伝達される。揺動手段５は、前後方向水平に回転自在に設けた揺動軸５２と、その軸端に設けられた動力が入力されるアイドラープーリ５１と、揺動軸５２と底板１３とに連結され揺動する揺動ロッド５４で構成されている。軸端部に設けたアイドラープーリ５１には電磁クラッチ７２が併設されていて、電磁クラッチ７２の入り切りによりモータ２１の動力は揺動手段５に伝達または遮断される。伝達された動力は揺動軸５２を回転させる。揺動軸５２は前後に設けた玉軸受ユニット５７により支持され回転自在に設けられていて、玉軸受ユニット５７の間には前後２箇所揺動ロッド５４が設けてある。揺動ロッド５４は揺動軸５２に挿入して固着され揺動軸５２回転中心より外径中心が変位した偏心カラー５３にベアリング５６を介して根元部が挿入され、揺動軸５２が回転すると偏心カラー５３の偏心により揺動ロッド５４の根元部は揺動軸５２と直交する方向に揺動する。これにより揺動ロッド５４他端に連結された底板１３が揺動する。
【００３０】
前記アイドラープーリ５１には、Ｖベルト溝が２本設けられていて、モータ２１側より伝達された動力は他方のＶベルト溝に巻着されたＶベルト２３ｂにより粒体排出部２の送り機構２０の底スクリュ軸２０１端部に設けた底スクリュプーリ２０２に伝達され底スクリュ軸２０１は回転駆動されている。このため、モータ２１が駆動すると、送り機構２０の底スクリュ軸２０１が回転するが、アイドラープーリ５１部の電磁クラッチ７２の入り切りにより底板１３が揺動手段５により揺動する場合と揺動しない場合とを選択できる。このため、粒体の排出作業時に必要な時のみ底板１３の揺動を行えるように制御部を設けることができる。
【００３１】
図６は本発明を実施するための別実施例の駆動部の一例を示したもので、粒体排出部２の駆動用モータ２１ａと揺動手段５の駆動用モータ２１ｂをそれぞれ設けて構成したものである。粒体排出部２の駆動は、モータ２１ｂの出力軸に固着したモータプーリ２１０からＶベルト２３ａを巻着させ粒体排出部２の底スクリュ軸２０１の端部に固着した底スクリュプーリ２０２を回転させ粒体の排出を行う。一方揺動手段５の駆動は、粒体排出部２の駆動とは別のモータ２１ｂで駆動されていて、モータ２１ｂの出力軸に固着したモータプーリ２１１と揺動軸５２端部に固着して設けた揺動軸プーリ５８とにＶベルト２３ｂを巻着させ揺動軸５２を回転駆動している。このため、粒体排出部２の駆動の有無に関係なく揺動手段５を作動できるため、粒体排出部２が駆動しているときのみ作動可能または停止可能に制御部を設けることができる。
【００３２】
底スクリュ軸２０１の排出口部側端部は、第１搬送ケース４１の入力軸と連結保持されていて、動力は第１搬送ケース４１部に伝達される。伝達された動力は、第１搬送ケース４１内のベベルギヤ４３を介して底スクリュ軸２０１と直行する垂直方向に設けた縦スクリュ軸４４に伝達されこれを駆動する。縦スクリュ軸４４端部はさらに第１搬送ケース４１に対し水平方向回動自在に設けた第２搬送ケース４２の入力軸と連結されていて、第２搬送ケース４２内のベベルギヤ４３を介して水平方向の掻き込みスクリュ６４に動力が伝達され回転駆動する。掻き込みスクリュ６４の他端には排出ホース部６の可撓性ホース６１に内装されたスパイラル体６２が固着されていてこれを回転させる。排出ホース部６は、第２搬送ケース４２に対し接続部６０部分で着脱自在に設けてあり、トラック等での移動時は排出ホース部６を外して使用する。排出ホース部６の第２搬送ケース４２との接続部６０は、排出ホース部６側の掻き込みスクリュ６４と第２搬送ケース４２出力軸との間にクラッチ部６３が設けられ着脱可能であり、排出ホース部６と第２搬送ケース４２の外側には図示しない連結ロック及びロック解除用のフック等が設けられている。
【００３３】
底スクリュ軸２０１により第１搬送ケース４１に送られた粒体は、底スクリュ軸２０１端部に設けた掻き揚げ羽根により上方に跳ね上げられ、垂直方向に設けた縦スクリュ軸４４に送られる。縦スクリュ軸４４により垂直方向に送られた粒体は縦スクリュ軸４４終端部の羽根により跳ね飛ばされ、水平方向に設けた排出ホース部６の掻き込みスクリュ６４に送られ、その前方のスパイラル体６２に移送される。スパイラル体６２が回転することによりホース６１内の粒体を移動させホース６１端部のホース出口ケース６５より粒体は排出される
【００３４】
排出ホース部６は、着脱自在に連結された第２搬送ケース４２が縦スクリュ軸４４を中心に水平方向に回動自在に設けてあるため、排出方向を容易に変更できる。また、ホース６１は可撓性材であり内装されたスパイラル体６２も柔軟性がありホース６１自体を湾曲して使用することも可能である。
【００３５】
粒体収容部１０の下方枠体１１の排出口部４側内面壁にはセンサスイッチ７１が設けてあり、粒体収容部１０内の粒体の量を感知するためのスイッチで、スイッチ面が斜め上方を向いていて粒体がスイッチ面を押しているか否かにより感知するものである。このセンサスイッチ７１の信号により制御部は粒体収容部１０の粒体の量を感知可能で、収納された粒体の量が一定量以下になると底板の揺動が行われるように制御部を構成できる。
【００３６】
図８は、粒体搬送容器１の収容粒体の排出時の使用状態を示したもので、トラックＡの荷台に乗せた粒体搬送容器１のトラックＡ後方側に位置する排出口部４に排出ホース部６を接続し、その端部のホース出口ケース６５より粒体を乾燥機等の次工程設備に排出させる。排出終了後は、排出ホース部６を排出口部４より外し、トラックＡによる移送作業を行う。排出口部４は、底スクリュ軸２０１部から一旦垂直方向に縦スクリュ軸４４により上方に移動させて第２搬送ケース４２に接続した排出ホース部６から排出するため、トラック荷台の枠板を開放せずに排出が可能であるとともに、排出ホース部６を第２搬送ケース４２部の回動により左右に回動する首ふり機能を有しているにもかかわらず底スクリュ軸２０１位置を低くできるため全体の重心を下げることにも寄与することができる。
【００３７】
粒体搬送容器１の使用方法を説明する。圃場等で粒体搬送容器１に収容された粒体は、トラックＡ等で次工程設備等に搬送され排出ホース部６を接続するとともにホース出口ケース６５を排出場所に固定して排出作業を行う。排出作業は、粒体搬送容器１に設備の電源を接続し、図示しない粒体搬送容器１に設けた排出開始スイッチをＯＮさせると粒体搬送容器１下方部に設けたモータ２１が回転し、モータ２１のモータプーリ２１０に巻着されたＶベルト２３ａにより動力は揺動軸５２のアイドラープーリ５１に伝達され、アイドラープーリ５１からさらに底スクリュプーリ２０２に巻着されたＶベルト２３ｂにより底スクリュ軸２０１が回転駆動される。この時アイドラープーリ５１に併設した電磁クラッチ７２は切り状態となっていて揺動軸５２は回転されない。この後開閉シャッター３０を開くと操作レバー３１が押していたスイッチ７０が作動し揺動手段５の揺動軸５２が回転可能状態となる。開閉シャッター３０を開くと粒体収容部１０内の粒体は自重により回転する底スクリュ軸２０１に流入し排出口部４へ移送され排出される。粒体が排出されるに伴い粒体収容部１０内の粒体量が減少して行き、センサスイッチ７１が作動すると制御部は電磁クラッチ７２を作動させ揺動軸５２は回転する。回転すると揺動軸５２から底板１３に連結された揺動ロッド５４が揺動し底板１３を揺動させる。
【００３８】
底板１３部の粒体は、底板１３が自然流動できない傾斜角度であっても底板１３の揺動運動により強制流動され底スクリュ軸２０１に移動し底板１３に粒体が残留することがない。センサスイッチ７１が粒体量を感知する位置は、底板１３が揺動しないと粒体が送り機構２０に効率よく流動できなくなる位置を予め見つけて設定すると揺動動力を無駄に消費することがない。
【００３９】
排出口部４は、底スクリュ軸２０１により送られた粒体を垂直方向に移送変換する第１搬送ケース４１と第１搬送ケース４１に水平方向回動自在に設けた第２搬送ケース４２とこれらケース内に設けた縦スクリュ軸４４及びベベルギヤ４３により構成されていて、排出口部４に送られた粒体は第１搬送ケース４１と第２搬送ケース４２内を移送され排出ホース部６のスパイラル体６２によりホース出口ケース６５より排出される。
【００４０】
本発明の粒体搬送容器は、米や麦等を圃場での刈取り作業等によりトラック等の搬送車に積んだ粒体搬送容器内に収容し、乾燥機等の施設に搬送するための搬送容器や、その他粒体を移送して排出するための搬送容器に利用するとよい。
【図面の簡単な説明】
【００４１】
【図１】本発明の底板が弾性部材で保持され揺動可能である粒体搬送容器の正面視の断面図
【図２】開閉シャッター部の要部断面図
【図３】底板がガイド部材に案内されて揺動する構成の本発明の粒体搬送容器の正面視断面図
【図４】本発明の別実施例の粒体搬送容器の正面視断面図
【図５】駆動部の一例を示した断面平面図
【図６】別実施例の駆動部の一例を示した断面平面図
【図７】粒体排出部及び排出ホース部の横断面図
【図８】粒体搬送容器の使用状態を示した側面図
【図９】従来の粒体搬送容器の正面視の断面図
【符号の説明】
【００４２】
１      粒体搬送容器
１０    粒体収容部
１１    枠体
１２    上部枠体
１２１  ロックレバー
１３    底板
１３１  撹拌部材
１３２  弾性部材
１３３  ガイドロ−ラ
１３４  ガイド部材
１３５  枠体連結ピン
１３６  シール部材
１３７  シート材
２      粒体排出部
２０    送り機構
２０１  底スクリュ軸
２０２  底スクリュプーリ
２０３  底開閉カバー
２０４  掻き揚げ羽根
２１ａ，２１ｂ  モータ
２１０，２１１  モータプーリ
２２    底スクリュカバー
２３ａ，２３ｂ    Ｖベルト
３      開閉シャッター部
３０    開閉シャッター
３０１  シャッター作動ピン
３１    操作レバー
３２    レバーガイド
３３    シャッターガイド
３４    レバー軸
３４１  レバー軸アーム
３５    リンクプレート
３６    リンクピン
４      排出口部
４１    第1搬送ケース
４２    第２搬送ケース
４３    ベベルギヤ
４４    縦スクリュ軸
５      揺動手段
５１    アイドラープーリ
５２    揺動軸
５３    偏心カラー
５４    揺動ロッド
５５    連結ピン
５６    ベアリング
５７    玉軸受ユニット
５８    揺動軸プーリ
６      排出ホース部
６０    接続部
６１    ホース
６２    スパイラル体
６３    クラッチ部
６４    掻き込みスクリュ
６５    ホース出口ケース
７０    スイッチ
７１    センサスイッチ
７２    電磁クラッチ
Ａ      トラック
【図１】
0005130458.tif 000002
【図２】
0005130458.tif 000003
【図３】
0005130458.tif 000004
【図４】
0005130458.tif 000005
【図５】
0005130458.tif 000006
【図６】
0005130458.tif 000007
【図７】
0005130458.tif 000008
【図８】
0005130458.tif 000009
【図９】
0005130458.tif 000010